(57)【要約】【課題】  エレメントに装飾を施しても、スライダが装飾に接触することなくエレメントの噛合又は噛合の解除が可能となり、デザイン性に優れたスライドファスナを提供する。【解決手段】  スライドファスナ１は、裏側案内板８は、前端部１０側へ向けて先細り形状に形成されると共に、左右両端には、表側に向かって立ち上がり、後端部１１，１２側への移動に伴って左右のエレメント列２１，３１のエレメント２２，３２・・を互いの噛合位置へ案内するガイドリブ９，９が設けられ、連結柱５には、スライダ２の他方側への移動に伴ってエレメント２２，３２の噛合を解除させる解除案内部６が設けられて、スライダ２の移動により、左右のエレメント列２１，３１は、裏側案内板８のガイドリブ９，９によって裏側部分が案内されてエレメント２２，３２の噛合及び噛合解除が可能となる。【選択図】図１
2018122078.tif 000002
【特許請求の範囲】
【請求項１】
帯状のベース布へ所定間隔をおいて直線状に配設された複数のエレメントからなる左右対称のエレメント列と、
前記左右のエレメント列に跨がって前記エレメントの配設方向へ移動可能で、引き手が設けられた表側案内板と、前記エレメント列の厚み分の距離を隔てて連結柱で連結される裏側案内板とからなるスライダとを含み、
前記スライダの一方側への移動により、前記左右のエレメント列が互いの前記エレメントを交互に噛合させて結合し、他方側への移動により、前記左右のエレメント列が互いの前記エレメントの噛合を解除させて離間するスライドファスナであって、
前記裏側案内板は、前記他方側へ向けて先細り形状に形成されると共に、左右両端には、表側に向かって立ち上がり、前記一方側への移動に伴って前記左右のエレメント列の前記エレメントを互いの噛合位置へ案内するガイドリブが設けられ、
前記連結柱には、前記スライダの前記他方側への移動に伴って前記エレメントの噛合を解除させる解除案内部が設けられて、
前記スライダの移動により、前記左右のエレメント列は、前記裏側案内板の前記ガイドリブによって裏側部分が案内されて前記エレメントの噛合及び噛合解除が可能となることを特徴とするスライドファスナ。
【請求項２】
前記解除案内部は、前記他方側へ先細り状に突設して前記他方側への移動の際に前記エレメントの結合を解除させる受け板を備えることを特徴とする請求項１に記載のスライドファスナ。
【請求項３】
前記裏側案内板の左右の前記ガイドリブの上端部に、前記連結柱に向かって対向状に折曲する係合片がそれぞれ設けられ、
前記エレメントの側面には、前記係合片が係合可能な係合用溝が形成されて、前記スライダの移動により、前記左右のエレメント列は、前記裏側案内板の前記ガイドリブによって裏側部分が案内されると共に、前記係合用溝に前記係合片が係合して、前記エレメントの噛合及び噛合解除が可能となることを特徴とする請求項１又は２に記載のスライドファスナ。
【請求項４】
前記表側案内板の裏側の前端部には、前方へ行くに従って表側へ薄肉となるテーパー面が形成され、
前記表側案内板の裏側の後端部には、後方へ行くに従って表側へ薄肉となるテーパー面が形成されることを特徴とする請求項１乃至３の何れかに記載のスライドファスナ。
【発明の詳細な説明】
【技術分野】
【０００１】
本発明は、衣服やバッグ等に設けられ、スライダの移動によって開閉を行うスライドファスナに関するものである。
【背景技術】
【０００２】
従来より、スライドファスナとしては、スライダの移動によって二列に分かれたエレメントの噛合又は噛合の解除を行う構造のものが知られている（特許文献１）。
【先行技術文献】
【特許文献】
【０００３】
【特許文献１】特開２００７−２９６２８８号公報
【発明の概要】
【発明が解決しようとする課題】
【０００４】
しかしながら、このような構造では、エレメントに装飾を施すと、スライダが装飾に接触してエレメントの噛合又は噛合の解除ができなくなるため、スライダの表面を除いてデザインに制約を受けていた。
【０００５】
そこで、本発明の目的は、上記従来の問題を解消し、エレメントに装飾を施しても、スライダが装飾に接触することなくエレメントの噛合又は噛合の解除が可能となり、デザイン性に優れたスライドファスナを提供することにある。
【課題を解決するための手段】
【０００６】
本発明のうち、請求項１に記載された発明は、帯状のベース布へ所定間隔をおいて直線状に配設された複数のエレメントからなる左右対称のエレメント列と、前記左右のエレメント列に跨がって前記エレメントの配設方向へ移動可能で、引き手が設けられた表側案内板と、前記エレメント列の厚み分の距離を隔てて連結柱で連結される裏側案内板とからなるスライダとを含み、前記スライダの一方側への移動により、前記左右のエレメント列が互いの前記エレメントを交互に噛合させて結合し、他方側への移動により、前記左右のエレメント列が互いの前記エレメントの噛合を解除させて離間するスライドファスナであって、前記裏側案内板は、前記他方側へ向けて先細り形状に形成されると共に、左右両端には、表側に向かって立ち上がり、前記一方側への移動に伴って前記左右のエレメント列の前記エレメントを互いの噛合位置へ案内するガイドリブが設けられ、前記連結柱には、前記スライダの前記他方側への移動に伴って前記エレメントの噛合を解除させる解除案内部が設けられて、前記スライダの移動により、前記左右のエレメント列は、前記裏側案内板の前記ガイドリブによって裏側部分が案内されて前記エレメントの噛合及び噛合解除が可能となることを特徴とするものである。
本発明のうち、請求項２に記載された発明は、請求項１に記載の発明に加え、前記解除案内部は、前記他方側へ先細り状に突設して前記他方側への移動の際に前記エレメントの結合を解除させる受け板を備えることを特徴とするものである。
本発明のうち、請求項３に記載された発明は、請求項１又は２に記載の発明に加え、前記裏側案内板の左右の前記ガイドリブの上端部に、前記連結柱に向かって対向状に折曲する係合片がそれぞれ設けられ、前記エレメントの側面には、前記係合片が係合可能な係合用溝が形成されて、
前記スライダの移動により、前記左右のエレメント列は、前記裏側案内板の前記ガイドリブによって裏側部分が案内されると共に、前記係合用溝に前記係合片が係合して、前記エレメントの噛合及び噛合解除が可能となることを特徴とするものである。
本発明のうち、請求項４に記載された発明は、請求項１乃至３の何れかに記載の発明に加え、前記表側案内板の裏側の前端部には、前方へ行くに従って表側へ薄肉となるテーパー面が形成され、
前記表側案内板の裏側の後端部には、後方へ行くに従って表側へ薄肉となるテーパー面が形成されることを特徴とするものである。
【発明の効果】
【０００７】
請求項１に記載された発明は、裏側案内板に設けたガイドリブによって左右のエレメント列は裏側部分が案内され、表側案内板にはガイドリブが設けられないので、各エレメントの表側部分は、連結柱との干渉を考慮する以外は平面視形状に制約を受けず、デザイン性に優れる。
【０００８】
請求項２に記載された発明は、エレメント間の噛合の解除を安定して確実に行うことが可能である。
【０００９】
請求項３に記載された発明は、ガイドリブの係合片がエレメントの係合用溝内に係合することから、エレメントの安定した移動が可能である。
【００１０】
請求項４に記載された発明は、スライダの移動時にエレメントが動いたり回転しても、テーパー面に接触することで動きが抑えられ、より一層スライダ内への導入をスムーズに行うことが可能である。
【図面の簡単な説明】
【００１１】
【図１】（ａ）はスライドファスナの表側を示し、（ｂ）は（ａ）の裏側を示す説明図である。
【図２】（ａ）は左右のエレメント列の表側を示し、（ｂ）は（ａ）の裏側を示す説明図である。
【図３】（ａ）はエレメントの表側を示し、（ｂ）は（ａ）の裏側を示す説明図である。
【図４】（ａ）はスライダの表側を示し、（ｂ）は（ａ）の裏側を、（ｃ）は内部を示す説明図である。
【図５】（ａ）はエレメント同士が噛み合う状態を示し、（ｂ）は（ａ）のＡ−Ａ線断面を、（ｃ）は（ａ）のＢ−Ｂ線断面を示す説明図である。
【図６】（ａ）はスライドファスナの変更例で表側を示し、（ｂ）は（ａ）の裏側を示す説明図である。
【図７】（ａ）は図６の左右のエレメント列の表側を示し、（ｂ）は（ａ）の裏側を示す説明図である。
【図８】（ａ）は図６のエレメントの表側を示し、（ｂ）は（ａ）の裏側を示す説明図である。
【図９】（ａ）は図６の連結エレメントの表側を示し、（ｂ）は（ａ）の裏側を示す説明図である。
【図１０】（ａ）は図６のスライダの表側を示し、（ｂ）は（ａ）の裏側を示す説明図である。
【図１１】（ａ）はスライドファスナの表側を示し、（ｂ）は（ａ）の裏側を示す説明図である。
【図１２】（ａ）は図１１のエレメントの表側を示し、（ｂ）は（ａ）の裏側を示す説明図である。
【図１３】（ａ）はスライダの表側を示し、（ｂ）は（ａ）の裏側を示す説明図である。
【図１４】（ａ）は図１２のスライダの裏側を示し、（ｂ）はスライダ内部を示す説明図である。
【図１５】（ａ）は図１２のスライダの正面を示し、（ｂ）は（ａ）のＣ−Ｃ線断面を、（ｃ）は（ａ）のＤ−Ｄ線断面を示す説明図である。
【図１６】（ａ）はエレメント同士が噛み合う状態を示し、（ｂ）は（ａ）のＥ−Ｅ線断面を、（ｃ）は（ａ）のＦ−Ｆ線断面を示す説明図である。
【発明を実施するための形態】
【００１２】
以下、本発明のスライドファスナの一実施形態について、図面に基づいて詳細に説明する。
図１は、スライドファスナを示す説明図である。図２は、左右のエレメント列を示す説明図である。図３は、エレメントを示す説明図である。図４は、スライダを示す説明図である。図６は、左右のエレメント同士が噛み合う状態を示す説明図である。
【実施例１】
【００１３】
先ず初めに、図１（ａ）（ｂ）に示すように、スライドファスナ１は、スライダ２と、左エレメント列２１と右エレメント列３１とからなるエレメント部２０とで構成され、スライダ２がエレメント部２０上を移動することによって、左エレメント列２１と右エレメント列３１とが交互に噛合し、又は噛合を解除される構造である。
【００１４】
そして、図２（ａ）（ｂ）に示すように、左エレメント列２１は、帯状のベース布ＢＬにエレメント２２，２２・・を長手方向に所定間隔ごとに配置して構成する一方、右エレメント列３１も同様に、帯状のベース布ＢＲにエレメント３２，３２・・を長手方向に所定間隔ごとに配置して構成するものである。
【００１５】
次に、図３（ａ）（ｂ）に示すように、エレメント２２は、ベース２４の胴体部分が括れており、先端には右エレメント列３１のエレメント３２に噛合する噛合部２３が形成されている。
他にも、ベース２４の上には、円柱状で頭部をドーム状に形成した装飾部２５が設けられている。この装飾部２５の噛合部２３側の基端は、溝２６がＲ状に傾斜することによってベース２４よりも板厚が薄くなっている。一方、装飾部２５の反対側の基端は、ベース布ＢＬを挟持する挟持部２７が形成されている。このようにして構成されるエレメント２２は、後述するガイドリブ９に案内される裏側部分２９と、ガイドリブ９に案内されない表側部分２８とで形状が異なる。
また、エレメント３２は、エレメント２２と対称形状であり、同様の構造で、噛合部３３、ベース３４、装飾部３５、溝３６、挟持部３７、表側部分３８、裏側部分３９を備えている。
【００１６】
次に、図４（ａ）（ｂ）に示すように、スライダ２は、円形の表側案内板４の平面側に引き手３が設けられ、連結柱５を介して裏側案内板８が、表側案内板４と一定の距離を隔てた状態で連結されている。
このうち、裏側案内板８は、先細り形状のもので、連結柱５が、後端部１１、１２側から中央までの間に亘って設けられることでエレメント２２，３１の通り路をＹ字状に形成され、両側面には前端部１０から後端部１１，１２に亘ってガイドリブ９，９が設けられている。このガイドリブ９，９は、連結柱５の高さより低く形成されている。一方、表側案内板４は、円盤状に形成したもので、連結柱５側にはガイドリブが設けられていない。
【００１７】
また、図４（ｃ）に示すように、連結柱５の軸部分外周には、解除案内部６が前端部１０側へ先細り状に突設されており、この解除案内部６には、受け板７，７が左右に備えられている。
【００１８】
次に、このようにして構成されるスライドファスナ１のスライダ２の移動によって、エレメント２２，２２・・と、エレメント３２，３２・・との噛合は、以下のようにして行われる。
先ず初めに、左エレメント列２１に右エレメント列３１が噛合していない状態において、スライダ２を、最下端のエレメント２２，３２をスライダ２の後端部１１，１２側に挿入した状態で下方から上方に向かって移動させる。すると、図５（ａ）に示す裏側案内板８上では、エレメント３２は、溝３６内に受け板７の端縁が導入されて、スライダ２の移動方向と反対に、エレメント３２ｃの位置からガイドリブ９の内壁に沿って後端部１２側から前端部１０側に相対移動し、噛合部３３が前後のエレメント２２の噛合部２３，２３に噛合する。その後、エレメント３２は、エレメント３２ａの位置から前端部１０側へ排出されることとなる。
【００１９】
一方、エレメント３２の前後に配されるエレメント２２も同様に、エレメント２２が、エレメント２２ｃの位置まで移動すると、図５（ｂ）に示す溝２６内に受け板７の端縁が導入されて、ガイドリブ９の内壁に沿って後端部１１側から前端部１０側に相対移動し、噛合部２３が前後のエレメント３２の噛合部３３，３３に噛合する。その後、エレメント２２は、エレメント２２ａの位置へ前端部１０側から排出されることとなる。
以降、スライダ２の移動によって、他のエレメント３２，３２・・と、他のエレメント２２，２２・・とについても、同様に噛合することとなる。
【００２０】
次に、左エレメント列２１と右エレメント列３１との噛合の解除は、以下のようにして行われる。
先ず初めに、左エレメント列２１に右エレメント列３１が噛合した状態において、図１（ａ）に示すスライダ２を、上方から下方に向かって移動させる。すると、図５（ａ）に示す裏側案内板８上では、エレメント３２，３２・・がスライダ２の移動方向と反対に、エレメント３２ａからエレメント３２ｃの位置までガイドリブ９の内壁に沿って相対移動することとなる。
この時、エレメント３２ｂの位置以降では、図示しない溝３６内に連結柱５の解除案内部６が導入されて、エレメント３２が受け板７の端縁に沿って後端部１２側に移動し、噛合部３３の前後のエレメント２２の噛合部２３，２３との噛合が解除される。その後、エレメント３２は、後端部１２側からエレメント３２ｃの位置へ排出されることとなる。
【００２１】
一方、エレメント３２の上下に配されるエレメント２２，２２・・も同様に、エレメント２２ａの位置からエレメント２２ｂの位置まで相対移動すると、図５（ｃ）に示す溝２６内に解除案内部６が導入されて、溝２６が受け板７の端縁に沿って後端部１１側に移動し、噛合部２３の前後のエレメント３２の噛合部３３，３３との噛合が解除されることとなる。その後、エレメント２２は、エレメント２２ｃの位置から後端部１１側へ排出される。
以降、スライダ２の移動によって他のエレメント２２，２２・・と、他のエレメント３２，３２・・とについても、同様に噛合の解除が行われることとなる。ここでは、表側案内板４にガイドリブがなくても、エレメント２２，３２は、表側案内板４と裏側案内板８との間で厚み方向に移動を規制された状態でガイドリブ９，９に沿って移動するので、噛合と噛合の解除とは支障なく行える。
【００２２】
上記の如く構成されるスライドファスナ１は、裏側案内板８は、前端部１０側へ向けて先細り形状に形成されると共に、左右両端には、表側に向かって立ち上がり、後端部１１，１２側への移動に伴って左右のエレメント列２１，３１のエレメント２２，３２・・を互いの噛合位置へ案内するガイドリブ９，９が設けられ、連結柱５には、スライダ２の他方側への移動に伴ってエレメント２２，３２の噛合を解除させる解除案内部６が設けられて、スライダ２の移動により、左右のエレメント列２１，３１は、裏側案内板８のガイドリブ９，９によって裏側部分が案内されてエレメント２２，３２の噛合及び噛合解除が可能となる。それにより、裏側案内板８に設けたガイドリブ９，９によって左右のエレメント列２１，３１は裏側部分が案内され、表側案内板４にはガイドリブが設けられないので、各エレメント２２，３２の表側部分は、連結柱５との干渉を考慮する以外は平面視形状に制約を受けず、デザイン性に優れる。すなわち、装飾部２５，３５を下側のガイドリブ９や連結柱５に干渉しない範囲で大きさや形状を自由に設定できる。また、表側案内板４も、裏側案内板８に形状を合わせる必要がなく、大きさや形状を自由に設定できる。
【００２３】
また、解除案内部６は、前端部１０側へ先細り状に突設して後端部１１，１２側への移動の際にエレメント２２，３２の結合を解除させる受け板７，７を備える。それにより、エレメント２２，３２間の噛合の解除を安定して確実に行うことが可能である。
【００２４】
なお、本発明にかかるスライドファスナは、上記した実施の形態に何ら限定されるものではなく、本発明の趣旨を逸脱しない範囲で、エレメントやスライダの形状や大きさを適宜変更することができる。
【００２５】
例えば、エレメントの列は、エレメントと、連結部材が複数のエレメントの表側に亘って固着する連結エレメントとを交互に配置される構造としても良い。
この場合、図６（ａ）（ｂ）や図７（ａ）（ｂ）に示すように、スライドファスナ５０は、スライダ５１とエレメント部７０とで構成される。
このうち、エレメント部７０は、左右のエレメント列７１，９１とで構成され、左エレメント列７１は、エレメント７２と連結エレメント７５とが交互に並んで帯状のベース布ＢＬ上を長手方向に所定間隔ごとに配置して構成する一方、右エレメント列９１も、エレメント９２と連結エレメント９５とについても、交互に並んで帯状のベース布ＢＲ上を長手方向に所定間隔ごとに配置して構成する。
【００２６】
このうち、図８（ａ）（ｂ）に示すように、エレメント７２は胴体部分が括れており、先端部分には、右エレメント列９１のエレメント９２や連結エレメント９５に噛合する噛合部７３が形成されている。また、エレメント７２は、段部７４が表側を向くように、ベース布ＢＬを胴体部分で挟持することにより取り付けられる（図示略）。エレメント９２はエレメント７２と対称形状であり、同様の構造である。
【００２７】
また、図９（ａ）（ｂ）に示すように、連結エレメント７５は、エレメント７２と同じ形状の前方エレメント７７の噛合部７８表側と、後方エレメント７９の噛合部８０表側とに亘って、連結板７６が固着されている。このようにして構成される連結エレメント７５は、後述するガイドリブ５６に案内される裏側部分８２と、ガイドリブ５６に案内されない表側部分８１とで形状が異なる。
また、連結エレメント９５は連結エレメント７５と対称形状であり、同様の構造である。
【００２８】
次に、図１０（ａ）に示すように、スライダ５１は、表側案内板５３の平面側に引き手５２が設けられ、図１０（ｂ）に示すように、下面側で先細り状に形成したプレート部５４には、連結柱６０を介して裏側案内板５５が、プレート部５４と一定の距離を隔てた状態で連結されている。連結柱６０は、後述する後端部５７側からプレート部５４の途中までの間に亘って設けられている。
他にも、裏側案内板５５は、プレート部５４と同じ形状に形成されており、連結柱６０が、後端部５７、５７側から中央までの間に亘って設けられることでエレメント７２，９２や連結エレメント７５，９５の通り路をＹ字状に形成したものである。両側面には、前端部５９から後端部５７，５７に亘ってガイドリブ５６，５６が設けられており、このガイドリブ５６の後端部５７側には、切り欠き５８が設けられている。
【００２９】
このようにして構成されるスライドファスナ５０は、スライダ５１を上方へ移動させると、連結エレメント７５の連結板７６や、連結エレメント９５の連結板９６にスライダ５１が接触することなく、エレメント７２や連結エレメント７５が、エレメント９２や連結エレメント９５に噛合することで、左エレメント列７１と右エレメント列９１との噛合が行われて連結板７６，７６・・と連結板９６，９６・・とが長手方向に交互に組み合わせられた状態となる。
一方、スライダ５１を下方へ移動させると、連結板７６や連結板９６にスライダ５１が接触することなく、左エレメント列７１と右エレメント列９１との噛合が解除され、連結板７６，７６・・と連結板９６，９６・・とが離れた状態となる。
ここでは、連結板７６，９６を下側のガイドリブ５６や連結柱６０に干渉しない範囲で大きさや形状を自由に設定できる。また、表側案内板５３も、裏側案内板５５に形状を合わせる必要がなく、大きさや形状を自由に設定できる。
【実施例２】
【００３０】
図１１（ａ）（ｂ）に示すスライドファスナ１５０は、表側案内板１５２が裏側案内板１６２とほぼ同じ大きさのスライダ１５１と、左エレメント列１１１と右エレメント列１３０とからなるエレメント部１５０とで構成され、実施例１の場合と同様に、スライダ１５１がエレメント部１５０上を移動することによって、左エレメント列１１１と右エレメント列１３０とが交互に噛合し、又は噛合を解除される構造である。
【００３１】
そして、図１２（ａ）（ｂ）に示すように、左エレメント列１１１のエレメント１１２は、ベース１１４の胴体部分が括れており、先端には右エレメント列１３０のエレメント１３１に噛合する噛合部１１３が形成されている。この噛合部１１３の中央には、凹部１２０が形成されると共に、側面には、後述するスライダ１５１の係合片１６４が係合する係合用溝１２１が設けられている。
他にも、ベース１１４の上には、円柱状で頭部をドーム状に形成した装飾部１１５が設けられている。この装飾部１１５の噛合部１１３側の基端は、溝１１６がＲ状に傾斜することによってベース１１４よりも高さが低くなっている。一方、装飾部１１５の反対側の基端は、実施例１のエレメント２２の挟持部２７と同様に、ベース布ＢＬを挟持する挟持部１１７が形成されている。このようにして構成されるエレメント１１２は、後述するスライダ１５１のガイドリブ１６３に案内される裏側部分１１９と、後述するスライダ１５１の前端部１６５，後端部１６６に案内され、ガイドリブ１６３に案内されない表側部分１１８とで形状が異なる。
また、エレメント１３１は、エレメント１１２と対称形状であり、同様の構造で、噛合部１３２、ベース１３３、装飾部１３４、溝１３５、挟持部１３６、表側部分１３７、裏側部分１３８、凹部１３９、係合用溝１４０を備えている。
【００３２】
次に、図１３（ａ）（ｂ），図１４（ａ）に示すように、スライダ１５１は、円盤状のの表側案内板１５２が、連結柱１５９を介して裏側案内板１６２と一定の距離を隔てた状態で連結されている。
表側案内板１５２は、裏側案内板１６２より外形が大きく形成され、裏側には、他方側へ向けて先細り形状のガイド部１５３が膨出形成されている。このガイド部１５３の前端部１５４には、前方へ行くに従って表側へ薄肉となるテーパー面１５５が形成され、後端部１５６，１５７にも、後方へ行くに従って表側へ薄肉となるテーパー面１５８，１５８が形成されている。
【００３３】
一方、裏側案内板１６２も、ガイド部１５３と同じ先細り形状に形成されており、図１４（ｂ）に示すように、連結柱１５９が、後端部１６６，１６７側から中央までの間に亘って設けられることで、エレメント１１２，１３１の通り路をＹ字状に形成され、両端面には、前端部１６５から後端部１６６，１６７に亘ってガイドリブ１６３，１６３が設けられている。ガイドリブ１６３，１６３には、上端部に連結柱１５９に向かって対向状に折曲する係合片１６４，１６４が設けられている。この係合片１６４は、エレメント１１２，１３１の係合用溝１２１，１４０に対応するもので、連結柱１５９の高さより低く形成されており、ガイド部１５３に接触することはない。
また、図１５（ａ）〜（ｃ）に示すように、連結柱１５９の軸部分外周には、解除案内部１６０が前端部１５４側へ先細り状に突設されており、この解除案内部１６０には、受け板１６１，１６１が左右に備えられている。さらに、裏側案内板１６２の前端部１６５も、前方へ行くに従って裏側へ薄肉となるテーパ面となっており、後端部１６６，１６７も後方へ行くに従って裏側へ薄肉となるテーパ面となっている。
【００３４】
次に、このようにして構成されるスライドファスナ１５０のスライダ１５１の移動によって、エレメント１１２，１１２・・と、エレメント１３１，１３１・・との噛合は、以下のようにして行われる。
先ず始めに、左エレメント列１１１に右エレメント列１３０が噛合していない状態において、スライダ１５１を、最下端のエレメント１１２，１３１をスライダ１５１の後端部１６６，１６７側に挿入した状態で下方から上方に向かって移動させる。すると、図１６（ａ）に示す裏側案内板１６２上では、エレメント１３１は、溝１３５内に受け板１６１の端縁が導入されて、スライダ１５１の移動と反対に、エレメント１３１ｃの位置からガイドリブ１６３の内壁に沿って後端部１６７側から前端部１６５側に相対移動し、噛合部１３２が前後のエレメント１１２の噛合部１１３，１１３に噛合する。
ここで、エレメント１３１が動いたり回転しても、例えば後端部１５７のテーパー面１５８に接触して動きが抑えられることで、スライダ１５１内への導入がスムーズに行われる。その後、ガイドリブ１６３の係合片１６４に、エレメント１３１の係合用溝１４０が係合し、スライダ１５１内をガイドリブ１６３に沿って移動すると、エレメント１３１は、エレメント１３１ａの位置から前端部１６５側へ排出されることとなる。
【００３５】
一方、エレメント１３１の前後に配されるエレメント１１２も同様に、エレメント１１２が、エレメント１１２ｃの位置まで移動すると、溝１１６内に受け板１６１の端縁が導入されて、ガイドリブ１６３の内壁に沿って後端部１６６側から前端部１６５側に相対移動し、噛合部１１３が前後のエレメント１３１の噛合部１３２，１３２に噛合する。
ここで、エレメント１１２が動いたり回転しても、例えば後端部１５６のテーパー面１５８に接触して動きが抑えられることで、スライダ１５１内への導入がスムーズに行われる。その後、ガイドリブ１６３の係合片１６４に、エレメント１１２の係合用溝１２１が係合し、スライダ１５１内をガイドリブ１６３に沿って移動すると、エレメント１１２は、エレメント１１２ａの位置へ前端部１６５側から排出されることとなる。
以降、スライダ１５１の移動によって、他のエレメント１３１，１３１・・と、他のエレメント１１２，１１２・・とについても、同様に噛合することとなる。
【００３６】
次に、左エレメント列１１１と右エレメント列１３１との噛合の解除は、以下のようにして行われる。
先ず始めに、左エレメント列１１１に右エレメント列１３１が噛合した状態において、スライダ１５１を、上方から下方へ向かって移動させる。すると、図１６（ａ）に示す裏側案内板１６２上では、エレメント１３１，１３１・・がスライダ１５１の移動と反対に、エレメント１３１ａからエレメント１３１ｃの位置までガイドリブ１６３の内壁に沿って相対移動することとなる。
この時、エレメント１３１ｂの位置では、溝１３５内に連結柱１５９の解除案内部１６０が導入されて、エレメント１３１が受け板１６１の端縁に沿って後端部１６７側に移動し、図１６（ｂ）に示すように、噛合部１３２の前後のエレメント１１２の噛合部１１３，１１３との噛合が解除される。
エレメント１３１が動いたり回転しても、前端部１５４のテーパー面１５５に接触して動きが抑えられることで、スライダ１５１内への導入がスムーズに行われ、ガイドリブ１６３の係合片１６４にエレメント１３１の係合用溝１４０が係合し、スライダ１５１内をガイドリブ１６３に沿って移動することとなる。
その後、エレメント１３１は、後端部１６７側からエレメント１３１ｃの位置へ排出されることとなる。
【００３７】
一方、エレメント１３１の上下に配されるエレメント１１２，１１２・・も同様に、エレメント１１２ａの位置からエレメント１１２ｂの位置まで相対移動すると、図１６（ｃ）に示すように、溝１１６内に解除案内部１６０が導入されて、溝１１６が受け板１６１の端縁に沿って後端部１６６側に移動し、噛合部１１３の前後のエレメント１３１の噛合部１３２，１３２との噛合が解除されることとなる。
エレメント１１２が動いたり回転しても、前端部１５４のテーパー面１５５に接触して動きが抑えられることで、スライダ１５１内への導入がスムーズに行われ、ガイドリブ１６３の係合片１６４にエレメント１３１の係合用溝１４０が係合し、スライダ１５１内をガイドリブ１６３に沿って移動することとなる。
その後、エレメント１１２は、エレメント１１２ｃの位置から後端部１６６側へ排出されることとなる。
【００３８】
上記の如く構成されるスライドファスナ１５０は、裏側案内板１６２の左右のガイドリブ１６３，１６３の上端部に、連結柱１５９に向かって対向状に折曲する係合片１６４，１６４がそれぞれ設けられ、エレメント１１２，１３１の側面には、係合片１６４，１６４が係合可能な係合用溝１２１，１４０が形成されて、スライダ１５１の移動により、左右のエレメント列１１１，１３０は、裏側案内板１６２のガイドリブ１６３，１６３によって裏側部分１１９，１３８が案内されると共に、係合用溝１２１，１４０に係合片１６４，１６４が係合して、エレメント１１２，１３１の噛合及び噛合解除が可能となる。それにより、ガイドリブ１６３，１６３の係合片１６４，１６４がエレメント１１２，１３１の係合用溝１２１，１４０内に係合することから、エレメント１１２，１３１の安定した移動が可能である。
【００３９】
更に、表側案内板１５２の裏側の前端部１５４には、前方へ行くに従って表側へ薄肉となるテーパー面１５５が形成され、表側案内板１５２の裏側の後端部１５６，１５７には、後方へ行くに従って表側へ薄肉となるテーパー面１５８，１５８が形成される。それにより、スライダ１５１の移動時にエレメント１１２，１３１が動いたり回転しても、前端部１５４のテーパー面１５５や、後端部１５６，１５７のテーパー面１５８，１５８に接触することで動きが抑えられ、スライダ１５１内への導入をスムーズに行うことが可能である。
【００４０】
また、前端部１５４のテーパー面１５５、後端部１５６，１５７のテーパー面１５８，１５８は、エレメント１１２，１３１の導入をスムーズに行うことが可能であれば傾斜角度の変更が可能であるが、傾斜の緩い（浅い）ものが好適である。更に、裏側案内板１６２の前端部１６５や後端部１６６，１６７にもテーパー面を形成しても良い。
【符号の説明】
【００４１】
１・・スライダファスナ、２・・スライダ、３・・引き手、４・・表側案内板、５・・連結柱、６・・解除案内部、７・・受け板、８・・裏側案内板、１０・・前端部、１１・・後端部（左エレメント側）、１２・・後端部（右エレメント側）、２０・・エレメント部、２１・・左エレメント列、２２・・エレメント、２３・・噛合部、２４・・ベース、２５・・装飾部、２６・・溝、２７・・挟持部、２８・・表側部分、２９・・裏側部分、３１・・右エレメント列、３２・・エレメント、３３・・噛合部、３４・・ベース、３５・・装飾部、３６・・溝、３７・・挟持部、３８・・表側部分、３９・・裏側部分、１１０・・エレメント部、１１１・・左エレメント列、１１２・・エレメント、１１３・・噛合部、１１４・・ベース、１１５・・装飾部、１１６・・溝、１１７・・挟持部、１１８・・表側部分、１１９・・裏側部分、１２０・・凹部、１２１・・係合用溝、１３０・・右エレメント列、１３１・・エレメント、１３２・・噛合部、１３３・・ベース、１３４・・装飾部、１３５・・溝、１３６・・挟持部、１３７・・表側部分、１３８・・裏側部分、１３９・・凹部、１４０・・係合用溝、１５０・・スライダファスナ、１５１・・スライダ、１５２・・表側案内板、１５３・・ガイド部、１５４・・前端部、１５５・・テーパー面（前端部）、１５６・・後端部（左エレメント側）、１５７・・後端部（右エレメント側）、１５８・・テーパー面（後端部）、１５９・・連結柱、１６０・・解除案内部、１６１・・受け板、１６２・・裏側案内板、１６３・・ガイドリブ、１６４・・係合片、１６５・・前端部、１６６・・後端部（左エレメント側）、１６７・・後端部（右エレメント側）。
【図１】
2018122078.tif 000003
【図２】
2018122078.tif 000004
【図３】
2018122078.tif 000005
【図４】
2018122078.tif 000006
【図５】
2018122078.tif 000007
【図６】
2018122078.tif 000008
【図７】
2018122078.tif 000009
【図８】
2018122078.tif 000010
【図９】
2018122078.tif 000011
【図１０】
2018122078.tif 000012
【図１１】
2018122078.tif 000013
【図１２】
2018122078.tif 000014
【図１３】
2018122078.tif 000015
【図１４】
2018122078.tif 000016
【図１５】
2018122078.tif 000017
【図１６】
2018122078.tif 000018